(57)【要約】【課題】  追記型光ディスクと書換型光ディスクとの判別を正確に行うことができる光ディスク装置を提供する。【解決手段】  光ピックアップ２４と、フォーカスエラー信号を検出するフォーカスエラー信号検出手段３０と、第１の閾値および第２の閾値が記憶されている記憶手段４３と、フォーカスエラー信号の振幅値と、第１の閾値および第２の閾値とを比較し、フォーカスエラー信号の振幅値が第１の閾値よりも大きい場合は、光ディスクが追記型光ディスクであると判別し、フォーカスエラー信号の振幅値が第２の閾値よりも小さい場合は、光ディスクが書換型光ディスクであると判別し、フォーカスエラー信号の振幅値が第１の閾値と第２の閾値の間である場合は、光ディスクが記録済か未記録かを検出して未記録と検出した場合は書換型光ディスクであると判別し、記録済みと検出した場合は追記型光ディスクであると判別する判別手段４６とを具備する。【選択図】        図３
2007213739.tif 000002
【特許請求の範囲】
【請求項１】
光ディスクからデータ読み出しおよび光ディスクにデータ書き込み可能な光ディスク装置において、
光ディスクにレーザ光を照射し、光ディスクからの反射光を受光する光ピックアップと、
光ピックアップが受光した反射光強度に基づいてフォーカスエラー信号を検出するフォーカスエラー信号検出手段と、
第１の閾値が第２の閾値よりも大となる関係の第１の閾値および第２の閾値が記憶されている記憶手段と、
フォーカスエラー信号の振幅値と、第１の閾値および第２の閾値とを比較し、
フォーカスエラー信号の振幅値が第１の閾値よりも大きい場合は、装着されている光ディスクが追記型光ディスクであると判別し、
フォーカスエラー信号の振幅値が第２の閾値よりも小さい場合は、装着されている光ディスクが書換型光ディスクであると判別し、
フォーカスエラー信号の振幅値が第１の閾値と第２の閾値の間である場合は、装着されている光ディスクが記録済か未記録かを検出して未記録と検出した場合は書換型光ディスクであると判別し、記録済みと検出した場合は追記型光ディスクであると判別する判別手段とを具備することを特徴とする光ディスク装置。
【請求項２】
記録済みか未記録かの検出は、光ディスクの反射光強度に基づくＲＦ信号の振幅値に基づいて行うことを特徴とする請求項１記載の光ディスク装置。
【請求項３】
光ディスクからデータ読み出しおよび光ディスクにデータ書き込み可能な光ディスク装置における光ディスクの種類を判別する判別方法において、
光ディスクからの反射光に基づいて得られるフォーカスエラー信号の振幅値と、予め設定された閾値と、第１の閾値が第２の閾値よりも大となる関係の予め設定された第１の閾値および第２の閾値とを比較し、
フォーカスエラー信号の振幅値が第１の閾値よりも大きい場合は、装着されている光ディスクが追記型光ディスクであると判別し、
フォーカスエラー信号の振幅値が第２の閾値よりも小さい場合は、装着されている光ディスクが書換型光ディスクであると判別し、
フォーカスエラー信号の振幅値が第１の閾値と第２の閾値の間である場合は、光ディスクが記録済みか未記録かを検出し、未記録であると検出した場合は書換型光ディスクであると判別し、記録済みと検出した場合は追記型光ディスクであると判別することを特徴とする光ディスク判別方法。
【請求項４】
記録済みか未記録かの検出は、光ディスクの反射光強度に基づくＲＦ信号の振幅値に基づいて行うことを特徴とする請求項２記載の光ディスク判別方法。
【発明の詳細な説明】
【技術分野】
【０００１】
本発明は、追記型光ディスクか書換型光ディスクかの判別を行う光ディスク装置および光ディスク判別方法に関する。
【背景技術】
【０００２】
ＣＤやＤＶＤ等の光ディスクには、ユーザがデータ書き込み可能な光ディスクとして追記型光ディスク（−Ｒ、＋Ｒ）と、書換型光ディスク（−ＲＷ、＋ＲＷ）とがある。追加型光ディスクとは、１回のみデータを書き込み可能な光ディスクであり、書換型光ディスクとは複数回データを書き込み可能な光ディスクである。
【０００３】
様々な種類に対応している光ディスク装置（いわゆるマルチドライブ）では、挿入された光ディスクの種類を判別する必要がある。
光ディスクの種類の判別のうち、追記型（−Ｒ）か書換型（−ＲＷ）かを判別する方法については、以下に述べるように、フォーカスエラー信号の振幅値を検出することにより行われていた（例えば、特許文献１、特許文献２参照）。
【０００４】
光ディスク装置では、光ディスクが挿入された際にはイニシャライズが行われる。イニシャライズ動作では、まず光ピックアップ内の対物レンズを動作させて光ディスクの記録層にレーザ光の焦点を合わせてフォーカスサーボをオンさせるフォーカスサーチを行う。
【０００５】
追記型の場合はレーザ光を照射した際の反射率が４５〜８０％程度であり、書換型の場合はレーザ光を照射した際の反射率が１８〜３０％程度である。
したがって、フォーカスサーチ時にフォーカスエラー信号の振幅値を調べることで、振幅値が予め設定しておいた閾値を超えた場合には追記型光ディスク、閾値を超えない場合には書換型光ディスクであるという判断が可能である。
【０００６】
【特許文献１】特開２００５−３５３２０１号公報
【特許文献２】特開２００５−３４６８６７号公報
【発明の開示】
【発明が解決しようとする課題】
【０００７】
従来は、光ディスクの反射率の違いに基づいて光ディスクの種類の判別を行ってきた。しかし、光ディスクにデータが書き込まれるとピットが形成されるので、なんらかのデータが記録済みの光ディスクは、ブランクディスク（データが未記録のディスク）よりも反射率が低くなるという特性がある。
このため、追記型光ディスクがデータ記録済みであり、書換型光ディスクがデータ未記録である場合には、両者の反射率が近くなってしまう。したがって、追記型光ディスクがデータ記録済みである場合にはフォーカスエラー信号の振幅値が閾値に近くなってしまい、また書換型光ディスクがデータ未記録である場合にもフォーカスエラー信号の振幅値が閾値に近くなるので、フォーカスエラー信号をモニタするだけでは誤判定する可能性があるという課題があった。
【０００８】
追記型光ディスクと書換型光ディスクとで誤判定がされるとイニシャライズに長時間かかったり、イニシャライズが終了できなくなってしまうので、誤判定をなるべく防止する方策が必要とされている。
【０００９】
そこで、本発明の目的は、追記型光ディスクと書換型光ディスクとの判別を正確に行うことができる光ディスク装置および光ディスク判別方法を提供することにある。
【課題を解決するための手段】
【００１０】
本発明にかかる光ディスク装置によれば、光ディスクからデータ読み出しおよび光ディスクにデータ書き込み可能な光ディスク装置において、光ディスクにレーザ光を照射し、光ディスクからの反射光を受光する光ピックアップと、光ピックアップが受光した反射光強度に基づいてフォーカスエラー信号を検出するフォーカスエラー信号検出手段と、第１の閾値が第２の閾値よりも大となる関係の第１の閾値および第２の閾値が記憶されている記憶手段と、フォーカスエラー信号の振幅値と、第１の閾値および第２の閾値とを比較し、フォーカスエラー信号の振幅値が第１の閾値よりも大きい場合は、装着されている光ディスクが追記型光ディスクであると判別し、フォーカスエラー信号の振幅値が第２の閾値よりも小さい場合は、装着されている光ディスクが書換型光ディスクであると判別し、フォーカスエラー信号の振幅値が第１の閾値と第２の閾値の間である場合は、装着されている光ディスクが記録済か未記録かを検出して未記録と検出した場合は書換型光ディスクであると判別し、記録済みと検出した場合は追記型光ディスクであると判別する判別手段とを具備することを特徴としている。
この構成を採用することによって、従来の閾値の大きさに一定の幅を持たせること、すなわちこの幅の上限を第１の閾値、この幅の下限を第２の閾値として、フォーカスエラー信号の振幅値がこの幅よりも上にあるか下にあるか、またはこの幅内にあるかを検出し、フォーカスエラー信号の振幅値がこの幅内にある場合には光ディスクへデータが記録済みか未記録かを検出することで、追記型光ディスクと書換型光ディスクの判別を正確に行うことができる。
【００１１】
また、記録済みか未記録かの検出は、光ディスクの反射光強度に基づくＲＦ信号の振幅値に基づいて行うことを特徴としてもよい。
ＲＦ信号の振幅値は、光ディスクに形成されたピットの有無によって大きく変わる。したがって、ＲＦ信号をモニタするだけで記録済みか未記録かの検出を容易に行える。
【００１２】
本発明にかかる光ディスク判別方法によれば、光ディスクからデータ読み出しおよび光ディスクにデータ書き込み可能な光ディスク装置における光ディスクの種類を判別する判別方法において、光ディスクからの反射光に基づいて得られるフォーカスエラー信号の振幅値と、予め設定された閾値と、第１の閾値が第２の閾値よりも大となる関係の予め設定された第１の閾値および第２の閾値とを比較し、フォーカスエラー信号の振幅値が第１の閾値よりも大きい場合は、装着されている光ディスクが追記型光ディスクであると判別し、フォーカスエラー信号の振幅値が第２の閾値よりも小さい場合は、装着されている光ディスクが書換型光ディスクであると判別し、フォーカスエラー信号の振幅値が第１の閾値と第２の閾値の間である場合は、光ディスクが記録済みか未記録かを検出し、未記録であると検出した場合は書換型光ディスクであると判別し、記録済みと検出した場合は追記型光ディスクであると判別することを特徴とする。
【００１３】
また、記録済みか未記録かの検出は、光ディスクの反射光強度に基づくＲＦ信号の振幅値に基づいて行うことを特徴としてもよい。
【発明の効果】
【００１４】
本発明の光ディスク装置および光ディスク判別方法によれば、追記型光ディスクと書換型光ディスクの判別を正確に行なうことができる。このため、イニシャライズが失敗する可能性を低くすることができる。
【発明を実施するための最良の形態】
【００１５】
以下、本発明にかかる好適な実施例を添付図面に基づいて説明する。
まず、本発明の光ディスク装置の構成を、図１に基づいて説明する。
光ディスク装置２０は、光ディスク２１を装着するターンテーブル２３が設けられ、光ディスク２１を回転させるスピンドルモータ２２と、光ディスク２１にレーザ光を照射すると共に光ディスク２１から反射されたレーザ光を受光する光ピックアップ２４とを具備している。
光ピックアップ２４は、送りモータ２５の駆動によりスレッド軸２７上を光ディスク２１の径方向に移動可能に設けられている。
【００１６】
光ピックアップ２４内には、レーザ光を出力するレーザダイオード２６と、受光素子であるフォトダイオード２８を有している。また、光ピックアップ２４には、レーザ光を集光して光ディスク２１の記録層に焦点を合わせるための対物レンズ２９が設けられている。
なお、フォトダイオード２８は、複数個に分割された受光面を有している。
【００１７】
フォトダイオード２８で受光した光強度信号は、ＲＦアンプ３０に出力される。ＲＦアンプ３０では、光ピックアップ２４から送られてくる光強度信号を２値化したＲＦ信号を生成するとともに、フォトダイオード２８の各受光面で受光した光強度の差や和をとることにより、トラッキングエラー信号（ＴＥ信号）およびフォーカスエラー信号（ＦＥ信号）を生成することができる。特許請求の範囲でいうフォーカスエラー信号検出手段は、本実施例ではＲＦアンプ３０が該当する。
【００１８】
ＲＦアンプ３０は、装着されている光ディスク２１が記録済みのものか未記録（ブランクディスク）であるかを判別するために、ＲＦ信号に基づいてＲＥＣＤ信号（記録未記録信号）を生成するＲＥＣＤ信号発生手段５０を有している。
ＲＥＣＤ信号発生手段５０は、光ディスク２１になんらかのデータが記録されていればピットが形成されることで未記録の場合よりも反射率が下がることを利用し、ＲＦ信号の振幅値が所定の値を超えた場合には記録済みとしてＲＥＣＤ信号をＨＩとし、ＲＦ信号の振幅値が所定の値を超えていなければ未記録としてＲＥＣＤ信号をＬＯＷとする。
【００１９】
ＲＦアンプ３０を経てフォーカスエラー信号とトラッキングエラー信号は、サーボプロセッサ３４に入力される。
サーボプロセッサ３４は、フォーカスエラー信号やトラッキングエラー信号に基づき、フォーカスドライブ信号（ＦＤＯ信号）とトラッキングドライブ信号（ＴＤＯ信号）を光ピックアップ２４のフォーカスコイル（図示せず）およびトラッキングコイル（図示せず）に出力してフォーカスサーボやトラッキングサーボを制御する。
【００２０】
さらにサーボプロセッサ３４は、後述する制御部４０から入力される制御信号に基づいて、回転制御信号を出力してスピンドルモータ２２の回転を制御し、駆動制御信号を送りモータ２５へ出力して光ピックアップ２４の送り動作を制御する。
【００２１】
制御部４０は、ＣＰＵ４２、ＲＯＭ４３、ＲＡＭ４４等から構成されており、予めＲＯＭ４３内に記憶されている制御プログラムをＣＰＵ４２が読み込んで実行することで、光ディスク装置２０の動作を制御する。
【００２２】
制御部４０には、フォーカスエラー信号、ＲＦ信号およびＲＥＣＤ信号が入力され、フォーカスエラー信号とＲＦ信号に基づいてターンテーブル２３に装着された光ディスク２１の判別を行う判別手段４６を有している。判別手段４６は、ＣＰＵ４２がＲＯＭ４３に予め記憶されている判別プログラムを読み込んで実行することにより実現されるものであり、制御部４０の一機能として設けられている。
【００２３】
また、ＲＯＭ４３内には、判別手段４６が光ディスク２１の種類を判別する際に用いる各閾値が記憶されている。閾値として、フォーカスエラー信号の振幅値と比較される第１の閾値４８および第２の閾値４９が予め設定して記憶されている。ここで、第１の閾値は第２の閾値よりも大となるように設定されている。特許請求の範囲でいう記憶手段は、本実施例ではＲＯＭ４３が該当する。
【００２４】
制御部４０の判別手段４６は、イニシャライズ時に、サーボプロセッサ３４を制御してフォーカスサーチを実行させ、このときに得られたフォーカスエラー信号の振幅値を第１の閾値および第２の閾値と比較し、光ディスク２１が追記型光ディスクか書換型光ディスクかを判断する（図２参照）。
フォーカスエラー信号の振幅値が第１の閾値と第２の閾値との間にある場合には、光ディスク２１が追記型光ディスクか書換型光ディスクかを判断できないので、ＲＦ信号の振幅値が記録済みである場合にＲＥＣＤ信号発生手段５０で生成されるＲＥＣＤ信号に基づいてＲＥＣＤ信号がＨＩである場合には追記型光ディスク、ＲＥＣＤ信号がＬＯＷである場合には書換型光ディスクであると判断する。
【００２５】
制御部４０は、判別手段４６が判別した結果に基づいて、光ディスク２１からデータの読み出しあるいはデータの記録が可能となるように、光ピックアップ２４の動作、スピンドルモータ２２の回転、デコーダ５２における信号処理等の各動作制御が各光ディスク２１の規格に合致したものとなるように制御する。
このため、制御部４０は、サーボプロセッサ３４、デコーダ５２等へ制御信号を出力し、装着されている光ディスク２１の種類に合うように各構成要素を制御する。
【００２６】
なお、光ディスク２１から読み出されたデータは、ＲＦアンプ３０からデコーダ５２に入力される。
デコーダ５２には、再生信号の復調手段や誤り訂正手段等が設けられており、データ信号のＥＦＭ（Eight to Fourteen Modulation）＋復調および誤り訂正がなされる。なお、光ディスク２１がＣＤの場合は、ＥＦＭ＋復調ではなく、ＥＦＭ復調がなされる。
復調および誤り訂正がされた再生信号は、バッファメモリ（図示せず）に一旦蓄えられてから、インターフェース部５４を介してホストコンピュータ等の外部機器（図示せず）に再生データとして出力される。
【００２７】
インターフェース部５４は外部機器に接続するために設けられているものであり、規格としてはＡＴＡＰＩ（AT Attachment Packet Interface）、ＵＳＢ（Universal Serial Bus）、あるいはＩＥＥＥ１３９４等様々な規格がある。
【００２８】
光ディスク２１に記録すべきデータは、外部機器からインターフェース部５４を介して光ディスク装置２０内に送信されてくる。記録すべきデータは、インターフェース部５４からエンコーダ５６内に入力され、データのＥＦＭ変調やＥＦＭ＋変調等のエンコード処理がなされる。
また、エンコーダ５６でエンコード処理されたデータは、レーザドライバ５８に入力される。レーザドライバ５８では、エンコードされたデータに基づいて光ピックアップ２４内のレーザダイオード２６の駆動電流を制御する。
【００２９】
次に、図３に基づいて、上述してきた光ディスク装置における具体的な光ディスクの判別方法について説明する。
【００３０】
光ディスク装置２０に光ディスク２１が装着されると、光ディスク２１のイニシャライズを行うように制御部４０が制御する。
まず、制御部４０は、サーボプロセッサ３４を制御してフォーカスサーチを実行させる（ステップＳ１００）。
フォーカスサーチ時に得られたフォーカスエラー信号は、制御部４０に入力される。制御部４０の判別手段４６は、フォーカスエラー信号の振幅値と第１の閾値および第２の閾値とを比較する。
判別手段４６は、フォーカスエラー信号の振幅値が第１の閾値を超えているか否か（第１の閾値よりも大きいか否か）を判断し（ステップＳ１０２）、フォーカスエラー信号の振幅値が第１の閾値を超えている場合には、光ディスク２１は追記型光ディスクであると判別する（ステップＳ１０４）。
【００３１】
次に、判別手段４６は、フォーカスエラー信号の振幅値が第２の閾値を超えているか否か（第２の閾値よりも小さいか否か）を判断し（ステップＳ１０６）、フォーカスエラー信号の振幅値が第２の閾値を超えていない場合（第２の閾値よりも下の場合）には、光ディスク２１は書換型光ディスクであると判別する（ステップＳ１０８）。
【００３２】
ステップＳ１０６において、フォーカスエラー信号の振幅値が第２の閾値を超えている場合は、フォーカスエラー信号の振幅値が第１の閾値と第２の閾値との間にあるということとなる。このため、判別手段４６は、ＲＥＣＤ信号がＨＩであるかＬＯＷであるかを検出する（ステップＳ１１０）。判別手段４６は、ＲＥＣＤ信号がＨＩであれば光ディスク２１は追記型光ディスクであると判別する（ステップＳ１１２）。判別手段４６は、ＲＥＣＤ信号がＬＯＷであれば光ディスク２１は書換型光ディスクであると判別する（ステップＳ１１４）。
【００３３】
なお、上述した実施形態では、先にフォーカスエラー信号の振幅値が第１の閾値を越えているか否かを判断したが、フォーカスエラー信号の振幅値が第２の閾値を越えているか否かをフォーカスエラー信号の振幅値が第１の閾値を越えているか否か判断するよりも先に判断してもよい。
【００３４】
なお、本発明における追記型光ディスクか書換型光ディスクかの判別方法は、ＣＤ、ＤＶＤ、ブルーレイディスクなど様々な種類の光ディスクに対して用いることができる。
【００３５】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００３６】
【図１】光ディスク装置を示すブロック図である。
【図２】閾値の説明図である。
【図３】光ディスクの種類を判別する判別方法を説明するフローチャートである。
【符号の説明】
【００３７】
２０  光ディスク装置
２１  光ディスク
２２  スピンドルモータ
２３  ターンテーブル
２４  光ピックアップ
２５  送りモータ
２６  レーザダイオード
２７  スレッド軸
２８  フォトダイオード
２９  対物レンズ
３０  ＲＦアンプ
３４  サーボプロセッサ
４０  制御部
４２  ＣＰＵ
４３  ＲＯＭ
４４  ＲＡＭ
４６  判別手段
４８  第１の閾値
４９  第２の閾値
５０  ＲＥＣＤ信号発生手段
５２  デコーダ
５４  インターフェース部
５６  エンコーダ
５８  レーザドライバ
【図１】
2007213739.tif 000003
【図２】
2007213739.tif 000004
【図３】
2007213739.tif 000005